(57)【特許請求の範囲】
【請求項１】
通信サーバ（ＡＳ）と、少なくとも１つの適応可能ファンクションキー（Ｋ１…Ｋｎ）、およびこのキーの機能に関する指示をこのキーの近くに表示するのに適した表示手段（ＬＣＤ）を備える端末（Ｔ）との間の通信の方法であって、
−  この端末がどのタイプの指示をこのキーの近くに表示できるかをこのサーバに指示するステップと、
−  サーバが受信可能であり、またそれが実行可能である、セッション開始プロトコルと呼ばれる情報伝達プロトコルのリクエストを使用する、キー押下マークアップ言語の少なくとも１つのコマンドを定義する情報をサーバから端末に送信するステップ（２０１）と、
−  このコマンドに関連する少なくとも１つの指示を定義しており、アクティブ通信の電話状態に応じて、端末上で適応可能ファンクションキーの近くに表示されなければならない情報をサーバから端末に送信するステップ（２０１）とを伴うステップを含み、
このコマンドに関連する少なくとも１つの指示を定義する情報が、それぞれ異なる言語の文字列で表した複数の指示を備え、端末が、適応可能ファンクションキーの近くにコマンドに関連する指示を表示するために、ユーザによってこの端末に割り当てられた言語に基づいて前記複数の指示のうちの１つを選択することを特徴とする、方法。
【請求項２】
このコマンドに関連する少なくとも１つの指示を定義する情報が画像を含むことを特徴とする、請求項１に記載の方法。
【請求項３】
このコマンドに関連する少なくとも１つの指示を定義する情報がキーワードであり、端末が、第三者文書を参照して、このキーワードを、ユーザによって理解され得る指示に変換し、この第三者文書のアドレスだけがサーバから端末に送信されることを特徴とする、請求項１に記載の方法。
【請求項４】
−  少なくとも１つの適応可能ファンクションキー（Ｋ１…Ｋｎ）と、
−  このキーを使用してアクティブ化され得るコマンドに関する指示をこのキーの近くに表示するのに適した表示手段（ＬＣＤ）と、
−  サーバに送信され得る、セッション開始プロトコルと呼ばれる情報伝達プロトコルのリクエストを使用する、キー押下マークアップ言語の少なくとも１つのコマンド、およびこのコマンドに関連する指示を定義しており、端末上で適応可能ファンクションキーの近くに表示されなければならない情報を受信する手段（２０１）と
を備える電話端末（Ｔ）であって、
情報を受信する手段（２０１）が、それぞれ異なる言語の文字列の複数の指示を受信し、適応可能ファンクションキーの近くにコマンドに関連する指示を表示するために、ユーザによってこの端末に割り当てられた言語に応じて前記複数の指示のうちの１つを選択する手段を備えることを特徴とする、端末。
【請求項５】
情報を受信する手段（２０１）が画像を受信する手段を備えることを特徴とする、請求項４に記載の端末。
【請求項６】
情報を受信する手段（２０１）が第三者文書のアドレスを受信する手段を備えることを特徴とする、請求項４に記載の端末。
【請求項７】
−  端末（Ｔ）がどのタイプの指示を適応可能ファンクションキーの近くに表示できるかをサーバに示す情報を受信し（２０３）、
−  サーバが受信可能であり、それが実行可能である、セッション開始プロトコルと呼ばれる情報伝達プロトコルのリクエストを使用する、キー押下マークアップ言語の少なくとも１つのコマンドを定義する情報を前記端末に送信し（２０１）、
−  このコマンドに関連する少なくとも１つの指示を定義しており、端末上で適応可能ファンクションキーの近くに表示されなければならない情報を前記端末に送信する（２０１）
手段を備える通信サーバ（ＡＳ）であって、
それぞれ異なる言語の文字列の複数の指示を送信する手段をさらに備えることを特徴とする、通信サーバ。
【請求項８】
プログラムを記録したコンピュータ読み取り可能な記録媒体であって、このプログラムが、端末内で実行されるとき、セッション開始プロトコルと呼ばれる情報伝達プロトコルのリクエストを使用する、キー押下マークアップ言語のコマンドに関連する少なくとも１つの指示を定義しており、端末上で適応可能ファンクションキーの近くに表示されなければならない情報を受信するステップ（２０１）を伴う命令を含み、
このプログラムが、端末で実行されるとき、それぞれ異なる言語の文字列の複数の指示を備える情報を受信するステップを伴う命令と、端末で実行されるとき、適応可能ファンクションキーの近くにコマンドに関連する指示を表示するために、ユーザによってこの端末に割り当てられた言語に応じて前記複数の指示のうちの１つを選択するステップを伴う命令とを含むことを特徴とする、コンピュータ読み取り可能な記録媒体。
【請求項９】
プログラムを記録したコンピュータ読み取り可能な記録媒体であって、このプログラムが、サーバで実行されるとき、セッション開始プロトコルと呼ばれる情報伝達プロトコルのリクエストを使用する、キー押下マークアップ言語のコマンドに関連する少なくとも１つの指示を定義しており、端末上で適応可能ファンクションキーの近くに表示されなければならない情報をこの端末に送信するステップ（２０１）を伴う命令を含み、
これらの命令がそれぞれ異なる言語の文字列の複数の指示を送信するステップをさらに伴うことを特徴とする、コンピュータ読み取り可能な記録媒体。
【発明の詳細な説明】
【技術分野】
【０００１】
本発明は、方法を実施するための通信サーバと端末との間の通信の該方法に関する。
【背景技術】
【０００２】
電話端末のユーザは、単に電話通信を設定することを超えて特定のサービスを得るには、通信サーバにコマンドを送信する必要がある。アナログ電話網では、電話端末のキーパッド上の１つのキーまたは一連のキー（０から９、Ｒ、＃、＊、Ａ、Ｂ、Ｃ、Ｄ）を押下することによって自動交換機にコマンドを送信することが知られている。たとえばユーザは、会議モードに切り換えるには３キーを、自動コールバックを要求するには４を押下する、といった具合である。これらの数字はそれぞれ、音声周波数帯（ＤＴＭＦ：Ｄｕａｌ  Ｔｏｎｅ  Ｍｕｌｔｉｆｒｅｑｕｅｎｃｙ：デュアルトーン多重周波数として知られている）で送信されたデュアルトーンによって変換される。
【０００３】
企業用の時分割多重化を用いたデジタル電話網では、固定機能に特有のキーだけでなく、電話通信の間に生じるイベントに応じて異なるコンテキストアクション（ｃｏｎｔｅｘｔｕａｌ  ａｃｔｉｏｎ）をユーザに提供する、変更可能なファンクションキーとして知られているキーをも備える電話端末が知られている。これらの変更可能ファンクションキーは、画面の端に置かれる。このキーの現在の機能についてユーザに知らせるために、単語、略語、またはアイコンが、この画面上で、変更可能な機能を伴う各キーの近くに表示される。変更可能な機能の割り当ての管理、およびキーに関連する指示の表示は、自動交換機によって完全に集中化される。
【０００４】
技術的な進化によって、音声およびシグナリングの電話信号は、インターネットプロトコル（ＩＰ：Ｉｎｔｅｒｎｅｔ  ｐｒｏｔｏｃｏｌ）ファミリー、具体的には音声パケットについてはＲＴＰ（Ｒｅａｌ  Ｔｉｍｅ  Ｔｒａｎｓｆｅｒ  Ｐｒｏｔｏｃｏｌ：リアルタイム転送プロトコル）、シグナリングパケットについてはＳＩＰ（Ｓｅｓｓｉｏｎ  Ｉｎｉｔｉａｔｉｏｎ  Ｐｒｏｔｏｃｏｌ：セッション開始プロトコル）を使用して、データパケットの形でルーティングされるようになった。こうしたＩＰ／ＳＩＰタイプのネットワークでは、ＳＩＰタイプの電話端末のキーパッド上で、１つの桁に対応する１つのキーまたは所与の一連の桁に対応する一連のキーを押下することによって通信サーバにコマンドを送信することが知られている。ＩＥＴＦ  ＲＦＣ  ４７３０文書は、ＳＩＰシグナリングプロトコルを使用して通信サーバを制御するこれらの一連の桁を定義し使用するために使用されるＫＰＭＬ（Ｋｅｙ  Ｐｒｅｓｓ  Ｍａｒｋｕｐ  Ｌａｎｇｕａｇｅ：キー押下マークアップ言語）として知られている方法について記載している。
【０００５】
知られているこのＫＰＭＬ方法は、各通信を設定するとき通信サーバとＳＩＰタイプ端末の間でメッセージを交換するために、ＳＵＢＳＣＲＩＢＥおよびＮＯＴＩＦＹと呼ばれるＳＩＰシグナリングプロトコル要求を使用する。これらのＫＰＭＬメッセージを使用して、サーバは、このサーバが受信し解釈できる所与の通信に関連する１組の所定のＤＴＭＦコマンドを端末に指示する。それぞれのＤＴＭＦコマンドは、所与のキーの押下、または複数の所与のキー（キー０から９、Ｒ、＃、＊、Ａ、Ｂ、Ｃ、Ｄ）の一連の押下からなる。
【０００６】
これらの所定のコマンドのうちの１つに対応する１つまたは複数のキーをユーザが押下する場合、端末は、このコマンドを検出し、サーバに通知しなければならない。端末は、この押下（または所与のキーのこの一連の押下）について知らせるためにＫＰＭＬメッセージを使用する。端末はこのように、サーバ内の機能を制御することができる。
【０００７】
従来の電話キーパッドの１２個の数字キーを用いた制御の可能性は比較的制限されるが、ＳＩＰタイプ端末に変更可能ファンクションキーを追加できることが望ましい。次いで、各キーの現在の機能をユーザに示すために、画面上の変更可能ファンクションキーの近くに単語、略語またはアイコンを動的に表示する手段を提供することが必要である。さらに、画面の特性をできるだけうまく活用しながらこれらの指示を表示するのが望ましい。
【０００８】
ＫＰＭＬ方法は、このためには設計されていない。それは、１桁または数桁からなるコマンドを検出し送信できるにすぎない。したがって、それは、画面上に単語、略語またはアイコンを表示できない。さらに、ＫＰＭＬ方法は、様々な端末モデルが同じネットワークに接続され得る場合、端末画面の表示機能を考慮に入れない：表示可能な文字の数は変化し得るが、アルファベットのタイプも変化することがある。画面は、アイコンの表示を可能にするグラフィック表示の可能性を有することも、有さないこともある。
【０００９】
指示を受け取り、画面上で適応可能ファンクションキーの近くに動的に表示するために、メーカーに特有の方法を使用する端末が知られている。電話アプリケーションは、プレゼンテーションサーバに、この端末の画面上に表示される指示を表すデータを端末に送信するように求める。プレゼンテーションサーバは、画面の特性（ピクセルの行および列の数、表示可能な色の数）、ならびにそれが接続されるネットワークの各端末のキーの特性（キーの数および画面に対するレイアウト）を前もって知っている。それは、指示の表示形式を、それがデータを送信しなければならない端末の画面およびキーの特性に適応させる。ＵＳ２００３／０１０１３６０２の文献は、ボイスメールを使用している間、電話の画面上で、指示を適応可能ファンクションキーの近くに動的に表示するためのこうした方法について記載している。
【００１０】
知られている別の方法は、この端末の画面上にウェブページの形で表示される指示を表すデータをウェブサーバから端末に送信することを伴う。このページは、ＨＴＴＰ（Ｈｙｐｅｒｔｅｘｔ  Ｔｒａｎｓｆｅｒ  Ｐｒｏｔｏｃｏｌ：ハイパーテキスト転送プロトコル）として知られている標準化されたプロトコル、またはこのプロトコルの等価の進化物を使用して送信される。このページは、ＨＴＭＬ（Ｈｉｇｈ  Ｌｅｖｅｌ  Ｍａｒｋｕｐ  Ｌａｎｇｕａｇｅ：ハイレベルマークアップ言語）として知られている標準化された言語を使用して記述される。端末は、十分な処理および表示リソースを有する場合、こうしたウェブページを表示するのに使用される従来のウェブブラウザを含んでよい。
【００１１】
知られているこの方法を実施する第１の方法によれば、厳密には、適応可能ファンクションキーはない。それらは、表示されたウェブページ内のテキストまたはプルダウンメニュー内に置かれたハイパーテキストリンクに置き換えられる。ユーザは、ポインティング装置を使用してこのページをブラウズし、キーを押下するのではなく、リンクをクリックすることができる。したがって、通信サーバは、各端末のキーの特性を知る必要はない。
【００１２】
この知られている方法を実施する第２の方法によれば、端末は、画面の端に適応可能ファンクションキーを備え、画面上に表示されたウェブページは、各適応可能ファンクションキーの近くにそれぞれ置かれた指示を提供する。次いで、ウェブサーバは、それが接続されるネットワークの各端末のキーの特性（キーの数および画面に関するレイアウト）を前もって知る必要がある。それは、指示の表示フォーマットを、それがデータを送信しなければならない端末のキーの特性に適応させる。
【００１３】
ウェブページは、十分な処理機能および記憶容量を有する端末でしか使用され得ない。したがって、これによって、低価格のＳＩＰ端末の使用は除外される。
【００１４】
さらに、知られているこの方法は、表示されたウェブページがそれぞれの呼に適応されなければならないので、完全には満足のいくものではなく、適応可能ファンクションキーの使用のための表示を含むので、呼の間、進化（ｅｖｏｌｏｖｅ）可能でなければならず、ユーザは、たとえば呼を待つ間、ある通信から別の通信に瞬時にジャンプすることができる。実際、新しいウェブページを作成する時間、およびそれが端末によって処理される時間によって、表示されたウェブページと、所与の端末上で進行中の電話通信との間の一貫性を保証することが難しくなる。
【先行技術文献】
【特許文献】
【００１５】
【特許文献１】米国特許第２００３／０１０１３６０２号明細書
【非特許文献】
【００１６】
【非特許文献１】ＩＥＴＦ  ＲＦＣ  ４７３０
【発明の概要】
【発明が解決しようとする課題】
【００１７】
本発明の目的は、通信サーバと端末の間の通信方法を提案することであり、この方法は、各キーの現在の機能をユーザに示すために、表示を端末の画面上に適応可能ファンクションキーの近くに動的に表示することを可能にし、この方法は、画面の特性をできるだけうまく活用してこれらの指示を表示することを可能にし、またこの方法は、低い処理機能および低いメモリ容量を有するＳＩＰ端末上で適用されてよい。
【課題を解決するための手段】
【００１８】
本発明の目的は、通信サーバと、少なくとも１つの適応可能ファンクションキー、およびこのキーの機能に関する指示をこのキーの近くに表示するのに適した表示手段を備える端末との間の通信の方法であって：
−  この端末がどのタイプの指示をこのキーの近くに表示できるかをこのサーバに指示するステップと、
−  サーバが受信可能であり、またそれが実行可能である少なくとも１つのＫＰＬＭコマンドを定義する情報をサーバから端末に送信するステップとを伴うステップを含み、
このコマンドに関連する少なくとも１つの指示を定義しており、アクティブ通信の電話状態に応じて、端末上で適応可能ファンクションキーの近くに表示されなければならない情報をサーバから端末に送信するステップを伴うステップをも含むことを特徴とする方法である。
【００１９】
このように特徴付けられる方法は、ＫＰＬＭコマンドに関連する指示を定義する情報をサーバから端末に送信することを伴うステップが、ウェブページを受信し処理することより遥かに小さい処理を伴うので、端末の処理機能および記憶容量が低い場合でも、プログラマブル処理手段を備えるすべてのＳＩＰタイプ端末上で適応可能ファンクションキーが使用されることを可能にする。
【００２０】
本発明は、この方法を実施するための端末およびサーバの目的をも有する。
【００２１】
下記の説明および添付の図を用いて、本発明がよりよく理解され、他の特性が明らかになろう。
【図面の簡単な説明】
【００２２】
【図１】適応可能ファンクションキーを備えるＳＩＰ電話端末の一例を示す図である。
【図２】本発明による方法による、ＳＩＰ端末の上記例と通信サーバの間のＳＩＰシグナリングメッセージの交換の一例を示す図である。
【発明を実施するための形態】
【００２３】
図１に示された電話端末Ｔの例は、液晶表示画面ＬＣＤと、この画面ＬＣＤに右側の端および左側の端に沿って１２個のキー、０−９、＊、＃および適応可能ファンクションキーＫ１…Ｋｎを備えた従来のキーパッドＫＰとを備える。端末Ｔは、ＳＩＰシグナリングをサポートしており、通信サーバＡＳを備える電話網Ｎに接続される。通信が続く間中、画面ＬＣＤは、それぞれの適応可能ファンクションキーＫ１…Ｋｎの近くに、それぞれ指示Ｉ１…Ｉｎを表示し、このファンクションキーは、関係のある通信の間、たとえば第２の通信の設定のために第１の通信を保留にするために使用されてよい。これらの指示はそれぞれ、単語、単語列、またはアイコンであってよい。
【００２４】
本発明による方法は、知られているＫＰＬＭ方法の改良物である。知られているこのＫＰＭＬ方法は、各通信を設定するときに通信サーバとＳＩＰタイプ端末の間でメッセージを交換するために、ＳＵＢＳＣＲＩＢＥおよびＮＯＴＩＦＹと呼ばれるＳＩＰシグナリングプロトコル要求を使用する。これらのＫＰＭＬメッセージを使用して、サーバは、ユーザから受信する責任がある所与の通信に関連する１組の所定のＤＴＭＦコマンドを端末に指示する。それぞれのＤＴＭＦコマンドは、（キー０から９、Ｒ、＃、＊、Ａ、Ｂ、Ｃ、Ｄからの）所与の１つのキー、または所与の複数のキーを押下することからなる。ユーザがこれらのコマンドのうちの１つを適用する場合、端末は、このコマンドを検出し、サーバにそれを知らせなければならない。換言すると、サーバによって前もって指示されたコマンドに対応するキーの押下（または一連のキーの押下）を検出する場合、端末は、ＫＰＭＬメッセージを使用して、この押下（または所与のキーのこの一連の押下）について知らせる。端末はこのように、サーバ内の機能を制御する。
【００２５】
知られているＫＰＭＬ方法は、それぞれの固定の機能を伴うキー、０から９、Ｒ、＃、＊、Ａ、Ｂ、Ｃ、Ｄを使用することを計画していない。追加の適応可能ファンクションキーの使用について考慮しておらず、具体的には、それは、アイコンおよび／または文字列を適応可能ファンクションキーの近くに表示することを可能にしない。本発明による方法は、追加の適応可能ファンクションキーの使用を可能にする改良物である。
【００２６】
図２は、本発明による方法による、端末Ｔの一例と通信サーバＡＳの一例の間のＳＩＰシグナリングメッセージの交換の一例を表している。端末Ｔは、ＳＩＰシグナリングをサポートするネットワークに接続されており、それがこのネットワーク内のサーバ（「Ｒｅｇｉｓｔｒａｒ」と呼ばれる）に登録されるとき、端末Ｔは、このサーバに以下の指示を送信することによってその機能を示すと仮定する：
Ａｃｃｅｐｔ−Ｌａｎｇｕａｇｅ：ｅｎ
Ｃｏｎｔｅｎｔ−Ｔｙｐｅ：ｉｍａｇｅ／ｊｐｅｇ
上記表示はそれぞれ、端末Ｔのユーザが、指示が英語であることを望んでいること、および端末Ｔがアイコンを表示できることを意味している。
【００２７】
所与の通信が設定されるとき、実施ステップは以下の通りである：
ステップ２０１：通信サーバＡＳは、端末Ｔに、すべての可能なアクション、換言すると、進行中の通信の状態に関連する所定の１組のコマンドのそれぞれのコマンドに対応するキーまたは一連のキーを指示する。これを行うために、それは、ＳＵＢＳＣＲＩＢＥと呼ばれるＳＩＰメッセージを端末Ｔに送信する。このメッセージの効果は、このサーバを端末Ｔに登録することであり、したがってサーバは、特定のアクションについて、それが端末Ｔによって検出されるときに通知を受ける。このＳＵＢＳＣＲＩＢＥメッセージは、以下を含む：
−  要求側アプリケーションの識別情報：ａｐｐｌｉｃａｔｉｏｎ／ｋｐｌｍ−ｒｅｑｕｅｓｔ。
−  ＸＭＬ（拡張可能マークアップ言語）の文書。この例ではｘｍｌ１と呼ばれるこの文書は、所定の１組のコマンド、およびユーザに宛てられた１組の指示を表し、各コマンドがそれぞれ、指示に関連付けられる。
【００２８】
このセットの各コマンドは、従来のＫＰＬＭ方法のＤＴＭＦコマンドとして表され、換言すると、それは、文字０から９、Ｒ、＃、＊、Ａ、Ｂ、Ｃ、Ｄによって指定されたキーの１つの押下または一連の押下として表される。たとえば、コマンドは、「０１３」によって、換言すると、固定ファンクションキー「０」を押下し、次いで固定ファンクションキー「１」を押下し、次いで固定ファンクションキー「３」を押下することで表される。端末は、適応可能ファンクションキーを有さない場合は、従来のやり方でこれらのコマンドを使用することができ：ユーザは、このコマンドを実行するには、従来のキーパッドの（固定機能）キー０、１、３を連続的に押下することを覚えておかなければならない。
【００２９】
端末が適応可能ファンクションキー、および本発明による方法を実施するためのソフトウェアを有する場合は、この端末は、適応可能ファンクションキー「Ｋｉ」がこの機能を制御すると自律的に決定する。端末は、キー「Ｋｉ」の押下を検出するとき、固定ファンクションキー「０」、「１」、「３」の一連の押下によって通常もたらされるＤＴＭＦ信号と同一のＤＴＭＦ信号を発する。さらに、端末は、キーＫｉ（端末はその位置を知っている）の近くに、このコマンドに関連する指示、たとえば文字列「ＲＥＱＵＥＳＴ  ＣＡＬＬ  ＢＡＣＫ」を表示する。したがって、ユーザは、一連の０、１、３またはキー「Ｋｉ」の位置を覚えておく必要はない。しかしユーザが一連の押下０、１、３を使用することを望む場合は、端末は、一連の押下０、１、３の使用をやはり可能にすることに留意されたい。
【００３０】
ステップ２０２：端末Ｔは、ＯＫと呼ばれるＳＩＰメッセージをサーバＡＳに送信することにより、受け取ったことを通知し、通信または関係する通信の現在の状態が続く間にこの１組のコマンドおよびこの１組の指示を、その通信の間に新しい１組のコマンドおよび新しい１組の指示がそれに置き換わらない限り、メモリに格納する。
【００３１】
ステップ２０３：ユーザは、可能なコマンドのうちの１つに対応するキーまたは一連のキーを押下する。端末Ｔは、ユーザが、進行中の通信の現在の状態に関連する１組の所定コマンドのうちの１つのコマンドに対応するキーまたは一連のキーを押下したことを検出する。それは、コマンドの識別情報を含む、ＮＯＴＩＦＹと呼ばれるＳＩＰメッセージをサーバＡＳに送信する。
【００３２】
ステップ２０４：サーバＡＳは、端末ＴにＯＫメッセージを送信することによって受け取ったことを通知する。次いで、それは、このコマンドに対応する処理を適用する。
【００３３】
ステップ２０５：その後、この同じ通信の間のイベントに続いて、サーバＡＳは、このイベントを考慮に入れて、現在可能なすべてのアクションを端末Ｔに示す。これを行うために、サーバＡＳは、端末Ｔに新しいＳＵＢＳＣＲＩＢＥメッセージを送信する。このＳＵＢＳＣＲＩＢＥメッセージは、以下を含む：
−  要求側アプリケーションの識別情報：ａｐｐｌｉｃａｔｉｏｎ／ｋｐｌｍ−ｒｅｑｕｅｓｔ。
−  ＸＭＬ（拡張可能マークアップ言語）の新しい文書。この例においてｘｍｌ２と呼ばれるこの文書は、新しい所定の１組のコマンド、および新しい１組の関連の指示をそれぞれ表す。
【００３４】
ステップ２０６：端末Ｔは、サーバＡＳにＯＫメッセージを送信することによって受け取ったことを通知し、それは、前のものの代わりに、この新しい１組のコマンドおよびこの新しい１組の指示をメモリ内に格納する。
【００３５】
それぞれの適応可能ファンクションキーの近くに指示を表示するのに使用されるデータを送信するために、２つの優先的な実施形態が提案される。
【００３６】
第１の実施形態によれば、指示は、自然言語の文字列からなる。これは、サーバが端末の表示機能を知っており、たとえばラテン文字または中国表意文字を端末が受け付けるかどうか知っていると仮定する。いくつかの従来方法が使用され得る。たとえば、端末は、その「Ｒｅｇｉｓｔｒａｒ」（図示せず）に送信されたＲＥＧＩＳＴＥＲメッセージを送信するとき、その表示機能を動的に知らせることができる。通信サーバは、「Ｒｅｇｉｓｔｒａｒ」が、ネットワーク上に局が現れたことについて通知を受けるように監視する。
【００３７】
別の実施形態によれば、端末は、ステップ２０２で、ＯＫメッセージのヘッダフィールド：ＡＣＣＥＰＴ−ＬＡＮＧＵＡＧＥ，ＡＣＣＥＰＴを使用して、通信サーバに、いつＯＫメッセージをそれに送信するか通知する。
【００３８】
自然言語の指示を伴うＫＰＭＬメッセージの一部分の例：
【数１】
0005384519.tif 000002
この例では、行：
【数２】
0005384519.tif 000003
は、それぞれが所与の言語の自然言語の表示に対応する２つの他の行を参照する：
【数３】
0005384519.tif 000004
【００３９】
端末は、ユーザが端末Ｔに割り当てた言語に応じて、これらの２つの行のうちの１つに対応する指示を表示する。たとえばユーザが言語フランス語を割り当てている場合、端末は、下記に対応する指示を表示する：
【数４】
0005384519.tif 000005
【００４０】
上記のＫＰＭＬメッセージの一部分の例では：
−  行：
【数５】
0005384519.tif 000006
は、コマンド：
【数６】
0005384519.tif 000007
を、キー「０」の押下に関連付ける。
端末は、この行を受け取るとき、電話通信の状態が呼出し中（ＳＩＰ用語では「ｅａｒｌｙ」）である場合、文字列であるＤＩＳ００と呼ばれる指示を表示しなければならない。
【００４１】
−  行：
【数７】
0005384519.tif 000008
は、コマンド：
【数８】
0005384519.tif 000009
を、キー「１」の押下がすぐ後に続くキー「０」の押下に関連付ける。端末は、この行を受け取るとき、電話通信の状態がどうであれ、文字列であるＤＩＳ０１と呼ばれる指示を表示しなければならない。
【数９】
0005384519.tif 000010
【００４２】
−  行：
【数１０】
0005384519.tif 000011
は、コマンド：
【数１１】
0005384519.tif 000012
を、キー「１」の押下およびキー「２」の押下が後に続くキー「０」の押下に関連付ける。端末は、この行を受け取るとき、電話通信の状態が会話（ＳＩＰ用語では「ｃｏｎｆｉｒｍｅｄ」）である場合、文字列であるＤＩＳ０２と呼ばれる指示を表示しなければならない。
【００４３】
電話通信状態は、たとえば：
呼出し中：「ｅａｒｌｙ」
休止状態：「ｔｅｒｍｉｎａｔｅｄ」
通信相手との会話：「ｃｏｎｆｉｒｍｅｄ」
保留：「ｉｎａｃｔｉｖｅ」
会議中：「ｆｏｃｕｓ」
などであってよい。
【００４４】
第２の実施形態によれば、表示は、アイコンおよび自然言語の文字列からなる。
【００４５】
自然言語およびアイコンの指示を表示するために、ＫＰＭＬメッセージの一部分の上記例は、追加の情報を備える：
【数１２】
0005384519.tif 000013
【００４６】
この追加の情報は、表示される指示が以下の両方を含むということに対応する：
−  アドレス：ｉｍｇ＝ｈｔｔｐ：／／ｗｗｗ．ｅｘａｍｐｌｅ．ｃｏｍ／ｉｍａｇｅｓ／ｏｖｒｄ．ｊｐｇで入手できるアイコン
−  「Ｏｖｅｒｒｉｄｅ  ｒｏｕｔｉｎｇ」の文字列。
【００４７】
１つの変形実施形態によれば、このコマンドに関連する少なくとも１つの表示を定義する情報はキーワードであり、端末は、第三者文書を参照して、このキーワードを、ユーザによって理解され得る指示に変換し、この第三者文書のＵＲＬ（Ｕｎｉｖｅｒｓａｌ  Ｒｅｓｏｕｒｃｅ  Ｌｏｃａｔｏｒ：ユニバーサルリソースロケータ）アドレスだけがサーバから端末に送信される。この第三者文書は、たとえば変換辞書であってよい。使用される辞書は、ＫＰＭＬメッセージの拡張物で提供されるＵＲＬアドレスから端末によってダウンロードされる。次いで、端末は、サーバから受け取られたキーワードを変換するために、この辞書を使用する。
【００４８】
上記のＫＰＭＬメッセージの一部分の例：
【数１３】
0005384519.tif 000014
属性ｃｉｄ（ｃｏｎｔｅｎｔ−ｉｎｄｉｒｅｃｔｉｏｎ：コンテンツ間接参照）は、インデックスＤＩＳ００、ＤＩＳ０１などを探索するための辞書のＵＲＬ：
ｈｔｔｐ：／／ｗｗｗ．ｅｘａｍｐｌｅ．ｎｅｔ／ｐｈｏｎｅｄｉｓｐｌａｙ＜／ｄｉｃｔ＞を指示する。
【００４９】
この方法の利点は、（辞書のバージョンが変わらないままである限り）辞書を一度だけダウンロードすればよく、したがって、ＫＰＭＬメッセージのサイズが小さくなるということである。
【００５０】
本発明による方法は、当業者によって、従来のキーではなくタッチスクリーンやプルダウンメニューを備える端末に容易に適応され得る。
【図１】
0005384519.tif 000015
【図２】
0005384519.tif 000016